(57)【要約】【課題】画像記録方式の切り替えに伴う生産性の低下を抑制する画像記録装置及びプログラムを提供する。【解決手段】先後で相違しない複数の記録対象画像の各々を対応する被記録面に記録する場合（ステップ２０２が否定判定の場合）、複数の保持領域の各々に対して単一の記録媒体が供給されると共に（ステップ２４４）、供給された単一の記録媒体における被記録面に対して単一の記録対象画像が記録されるように制御し、先後で相違する複数の記録対象画像の各々を対応する被記録面に記録する場合（ステップ２０２が肯定判定の場合）、画像記録位置を保持領域が予め定められた個数経過する毎に保持領域に単一の記録媒体が供給されると共に（ステップ２０８）、供給された単一の記録媒体における被記録面に対して単一の記録対象画像が記録されるように制御する（ステップ２１４）。【選択図】図８
2013154621.tif 000002
【特許請求の範囲】
【請求項１】
搬送路に記録媒体を供給する供給手段と、
前記搬送路としての外周面を周方向に沿って予め定められた間隔で区分けして得られると共に各々前記供給手段によって供給された単一の記録媒体を保持する複数の保持領域を有し、該保持領域に保持された記録媒体を、前記周方向に予め定められた速度で輪転することにより搬送する搬送手段と、
画像の記録に供する液滴を吐出する液滴吐出素子を有し、前記搬送手段によって搬送された記録媒体に対して記録すべき画像を、前記搬送手段によって記録位置に搬送された前記記録媒体に対して前記液滴吐出素子から液滴を吐出することにより記録する記録手段と、
複数の記録媒体の各々における被記録面に対して各々記録すべき内容が該被記録面単位の先後で相違しない複数の記録対象画像の各々を対応する前記被記録面に記録する場合、前記供給手段によって前記複数の保持領域の各々に対して単一の記録媒体が供給されると共に、供給された単一の記録媒体における前記被記録面に対して前記記録手段によって単一の記録対象画像が記録されるように制御し、複数の記録媒体の各々における被記録面に対して各々記録すべき内容が該被記録面単位の先後で相違する複数の記録対象画像の各々を対応する前記被記録面に記録する場合、前記記録位置を前記保持領域が予め定められた個数経過する毎に前記供給手段によって前記保持領域に単一の記録媒体が供給されると共に、供給された単一の記録媒体における前記被記録面に対して前記記録手段によって単一の記録対象画像が記録されるように制御する制御手段と、
を含む画像記録装置。
【請求項２】
前記予め定められた個数を、後続の前記記録対象画像を記録する準備が整うまでの間の前記搬送手段の輪転量が得られる個数とした請求項１に記載の画像記録装置。
【請求項３】
前記記録位置よりも前記搬送手段によって記録媒体が搬送される方向の下流側で前記外周面が通過する予め定められた通過領域に対して熱を付与するように発熱する発熱手段を更に含み、
前記制御手段は、前記先後で相違する複数の記録対象画像の各々を対応する前記被記録面に記録する場合、前記供給手段による前記保持領域への記録媒体の供給回数が予め定められた回数に達した際に前記供給手段による記録媒体の供給先を他の前記保持領域に変更するように更に制御する請求項１又は請求項２に記載の画像記録装置。
【請求項４】
前記通過領域の温度を測定する測定手段を更に含み、
前記制御手段は、前記先後で相違する複数の記録対象画像の各々を対応する前記被記録面に記録する場合、前記測定手段によって測定された温度が予め定められた温度以上の温度に達した際に前記供給手段による記録媒体の供給先を他の前記保持領域に変更するように更に制御する請求項３に記録の画像記録装置。
【請求項５】
前記制御手段は、前記測定手段によって測定された温度が前記予め定められた温度を超える温度として予め定められた限界温度以上の温度に達した際に前記搬送手段の作動及び前記発熱手段の作動を、前記通過領域の温度が少なくとも前記限界温度未満となる条件として予め定められた条件を満足するまで停止するように更に制御する請求項４に記載の画像記録装置。
【請求項６】
前記先後で相違する複数の記録対象画像の各々を、該複数の記録対象画像に対して共通の画像と該複数の記録対象画像の各々にとって固有の画像とを組み合わせた画像とした請求項１〜請求項５の何れか１項に記載の画像記録装置。
【請求項７】
前記先後で相違する複数の記録対象画像の各々を、該複数の記録対象画像に対して共通に使い回される画像を含まない画像とした請求項１〜請求項５の何れか１項に記載の画像記録装置。
【請求項８】
請求項１〜請求項７の何れか１項に記載の画像記録装置に含まれる前記搬送手段によって搬送された記録媒体に対して前記記録手段によって記録される画像を示す画像情報を前記画像記録装置に送信する送信装置と、
前記画像記録装置に設けられ、前記送信装置によって送信された画像情報を受信する受信手段と、
を含む画像記録システム。
【請求項９】
搬送路に記録媒体を供給する供給手段と、前記搬送路としての外周面を周方向に沿って予め定められた間隔で区分けして得られると共に各々前記供給手段によって供給された単一の記録媒体を保持する複数の保持領域を有し、該保持領域に保持された記録媒体を、前記周方向に予め定められた速度で輪転することにより搬送する搬送手段と、画像の記録に供する液滴を吐出する液滴吐出素子を有し、前記搬送手段によって搬送された記録媒体に対して記録すべき画像を、前記搬送手段によって記録位置に搬送された前記記録媒体に対して前記液滴吐出素子から液滴を吐出することにより記録する記録手段と、を含む画像記録装置を制御するコンピュータを、
複数の記録媒体の各々における被記録面に対して各々記録すべき内容が該被記録面単位の先後で相違しない複数の記録対象画像の各々を対応する前記被記録面に記録する場合、前記供給手段によって前記複数の保持領域の各々に対して単一の記録媒体が供給されると共に、供給された単一の記録媒体における前記被記録面に対して前記記録手段によって単一の記録対象画像が記録されるように制御する手段、
及び、複数の記録媒体の各々における被記録面に対して各々記録すべき内容が該被記録面単位の先後で相違する複数の記録対象画像の各々を対応する前記被記録面に記録する場合、前記記録位置を前記保持領域が予め定められた個数経過する毎に前記供給手段によって前記保持領域に単一の記録媒体が供給されると共に、供給された単一の記録媒体における前記被記録面に対して前記記録手段によって単一の記録対象画像が記録されるように制御する手段として機能させるためのプログラム。
【発明の詳細な説明】
【技術分野】
【０００１】
本発明は、画像記録装置及びプログラムに関する。
【背景技術】
【０００２】
特許文献１には、グリッパ付きの圧胴によってカット紙を搬送し、グリッパで保持されたカット紙に対して画像を記録する画像記録装置が開示されている。この画像記録装置は、片面印刷を行う場合に圧胴の半周面の各々に対してカット紙を供給する第１供給モードと、両面印刷を行う場合に圧胴の一方の半周面に対してカット紙を供給する第２供給モードと、を有している。第２供給モードを用いることで、圧胴には、反転装置によって反転されて戻ってくるカット紙が供給される余地が生まれる。すなわち、反転装置によって反転されて戻ってきたカット紙が圧胴の他方の半周面に供給されて搬送されることになる。
【先行技術文献】
【特許文献】
【０００３】
【特許文献１】特開２００２−３３１６４１号公報
【発明の概要】
【発明が解決しようとする課題】
【０００４】
本発明の課題は、画像記録方式の切り替えに伴う生産性の低下を抑制する、画像記録装置及びプログラムを提供することである。
【課題を解決するための手段】
【０００５】
上記課題を解決するために、請求項１に記載の画像記録装置を、搬送路に記録媒体を供給する供給手段と、前記搬送路としての外周面を周方向に沿って予め定められた間隔で区分けして得られると共に各々前記供給手段によって供給された単一の記録媒体を保持する複数の保持領域を有し、該保持領域に保持された記録媒体を、前記周方向に予め定められた速度で輪転することにより搬送する搬送手段と、画像の記録に供する液滴を吐出する液滴吐出素子を有し、前記搬送手段によって搬送された記録媒体に対して記録すべき画像を、前記搬送手段によって記録位置に搬送された前記記録媒体に対して前記液滴吐出素子から液滴を吐出することにより記録する記録手段と、複数の記録媒体の各々における被記録面に対して各々記録すべき内容が該被記録面単位の先後で相違しない複数の記録対象画像の各々を対応する前記被記録面に記録する場合、前記供給手段によって前記複数の保持領域の各々に対して単一の記録媒体が供給されると共に、供給された単一の記録媒体における前記被記録面に対して前記記録手段によって単一の記録対象画像が記録されるように制御し、複数の記録媒体の各々における被記録面に対して各々記録すべき内容が該被記録面単位の先後で相違する複数の記録対象画像の各々を対応する前記被記録面に記録する場合、前記記録位置を前記保持領域が予め定められた個数経過する毎に前記供給手段によって前記保持領域に単一の記録媒体が供給されると共に、供給された単一の記録媒体における前記被記録面に対して前記記録手段によって単一の記録対象画像が記録されるように制御する制御手段と、を含んで構成した。
【０００６】
請求項１に記載の画像記録装置を、請求項２に記載の発明のように、前記予め定められた個数を、後続の前記記録対象画像を記録する準備が整うまでの間の前記搬送手段の輪転量が得られる個数としたものとした。
【０００７】
請求項１又は請求項２に記載の画像記録装置を、請求項３に記載の発明のように、前記記録位置よりも前記搬送手段によって記録媒体が搬送される方向の下流側で前記外周面が通過する予め定められた通過領域に対して熱を付与するように発熱する発熱手段を更に含み、前記制御手段が、前記先後で相違する複数の記録対象画像の各々を対応する前記被記録面に記録する場合、前記供給手段による前記保持領域への記録媒体の供給回数が予め定められた回数に達した際に前記供給手段による記録媒体の供給先を他の前記保持領域に変更するように更に制御するものとした。
【０００８】
請求項３に記載の画像記録装置を、請求項４に記載の発明のように、前記通過領域の温度を測定する測定手段を更に含み、前記制御手段が、前記先後で相違する複数の記録対象画像の各々を対応する前記被記録面に記録する場合、前記測定手段によって測定された温度が予め定められた温度以上の温度に達した際に前記供給手段による記録媒体の供給先を他の前記保持領域に変更するように更に制御するものとした。
【０００９】
請求項４に記載の画像記録装置を、請求項５に記載の発明のように、前記制御手段が、前記測定手段によって測定された温度が前記予め定められた温度を超える温度として予め定められた限界温度以上の温度に達した際に前記搬送手段の作動及び前記発熱手段の作動を、前記通過領域の温度が少なくとも前記限界温度未満となる条件として予め定められた条件を満足するまで停止するように更に制御するものとした。
【００１０】
請求項１〜請求項５の何れか１項に記載の画像記録装置を、請求項６に記載の発明のように、前記先後で相違する複数の記録対象画像の各々を、該複数の記録対象画像に対して共通の画像と該複数の記録対象画像の各々にとって固有の画像とを組み合わせた画像としたものとした。
【００１１】
請求項１〜請求項５の何れか１項に記載の画像記録装置を、請求項７に記載の発明のように、前記先後で相違する複数の記録対象画像の各々を、該複数の記録対象画像に対して共通に使い回される画像を含まない画像としたものとした。
【００１２】
上記課題を解決するために、請求項８に記載の画像記録システムを、請求項１〜請求項７の何れか１項に記載の画像記録装置に含まれる前記搬送手段によって搬送された記録媒体に対して前記記録手段によって記録される画像を示す画像情報を前記画像記録装置に送信する送信装置と、前記画像記録装置に設けられ、前記送信装置によって送信された画像情報を受信する受信手段と、を含んで構成した。
【００１３】
上記課題を解決するために、請求項９に記載のプログラムを、搬送路に記録媒体を供給する供給手段と、前記搬送路としての外周面を周方向に沿って予め定められた間隔で区分けして得られると共に各々前記供給手段によって供給された単一の記録媒体を保持する複数の保持領域を有し、該保持領域に保持された記録媒体を、前記周方向に予め定められた速度で輪転することにより搬送する搬送手段と、画像の記録に供する液滴を吐出する液滴吐出素子を有し、前記搬送手段によって搬送された記録媒体に対して記録すべき画像を、前記搬送手段によって記録位置に搬送された前記記録媒体に対して前記液滴吐出素子から液滴を吐出することにより記録する記録手段と、を含む画像記録装置を制御するコンピュータを、複数の記録媒体の各々における被記録面に対して各々記録すべき内容が該被記録面単位の先後で相違しない複数の記録対象画像の各々を対応する前記被記録面に記録する場合、前記供給手段によって前記複数の保持領域の各々に対して単一の記録媒体が供給されると共に、供給された単一の記録媒体における前記被記録面に対して前記記録手段によって単一の記録対象画像が記録されるように制御する手段、及び、複数の記録媒体の各々における被記録面に対して各々記録すべき内容が該被記録面単位の先後で相違する複数の記録対象画像の各々を対応する前記被記録面に記録する場合、前記記録位置を前記保持領域が予め定められた個数経過する毎に前記供給手段によって前記保持領域に単一の記録媒体が供給されると共に、供給された単一の記録媒体における前記被記録面に対して前記記録手段によって単一の記録対象画像が記録されるように制御する手段として機能させるためのものとした。
【発明の効果】
【００１４】
請求項１、請求項８及び請求項９に係る発明によれば、複数の記録媒体の各々における被記録面に対して各々記録すべき内容が被記録面単位の先後で相違しない複数の記録対象画像の各々を対応する被記録面に記録する場合、複数の保持領域の各々に対して単一の記録媒体が供給されると共に、供給された単一の記録媒体における被記録面に対して記録手段によって単一の記録対象画像が記録されるように制御し、複数の記録媒体の各々における被記録面に対して各々記録すべき内容が被記録面単位の先後で相違する複数の記録対象画像の各々を対応する被記録面に記録する場合、記録位置を保持領域が予め定められた個数経過する毎に保持領域に単一の記録媒体が供給されると共に、供給された単一の記録媒体における被記録面に対して記録手段によって単一の記録対象画像が記録されるように制御する構成を有しない場合に比べ、画像記録方式の切り替えに伴う生産性の低下が抑制される、という効果が得られる。
【００１５】
請求項２に係る発明によれば、予め定められた個数を、後続の記録対象画像を記録する準備が整うまでの間の搬送手段の輪転量が得られる個数とした構成を有しない場合に比べ、先後で相違する複数の記録対象画像の各々が、対応する被記録面に確実に記録される、という効果が得られる。
【００１６】
請求項３に係る発明によれば、外周面が通過する予め定められた通過領域に対して熱を付与し、先後で相違する複数の記録対象画像の各々を対応する被記録面に記録する場合、保持領域への記録媒体の供給回数が予め定められた回数に達した際に記録媒体の供給先を他の保持領域に変更する構成を有しない場合に比べ、外周面の温度上昇が原因で生産性が低下するという事態の発生が抑制される、という効果が得られる。
【００１７】
請求項４に係る発明によれば、通過領域の温度を測定し、先後で相違する複数の記録対象画像の各々を対応する被記録面に記録する場合、測定された温度が予め定められた温度以上の温度に達した際に記録媒体の供給先を他の保持領域に変更する構成を有しない場合に比べ、外周面の温度上昇が原因で生産性が低下するという事態の発生が抑制される、という効果が得られる。
【００１８】
請求項５に係る発明によれば、測定された温度が予め定められた温度を超える温度として予め定められた限界温度以上の温度に達した際に搬送手段の作動及び発熱手段の作動を、通過領域の温度が少なくとも限界温度未満となる条件として予め定められた条件を満足するまで停止する構成を有しない場合に比べ、画像記録装置が破損するという事態の発生が抑制される、という効果が得られる。
【００１９】
請求項６に係る発明によれば、本構成を有しない場合に比べ、先後で相違する複数の記録対象画像の各々を、複数の記録対象画像に対して共通の画像と複数の記録対象画像の各々にとって固有の画像とを組み合わせた画像とした場合であっても、画像記録方式の切り替えに伴う生産性の低下が抑制される、という効果が得られる。
【００２０】
請求項７に係る発明によれば、本構成を有しない場合に比べ、先後で相違する複数の記録対象画像の各々を、複数の記録対象画像に対して共通に使い回される画像を含まない画像とした場合であっても、画像記録方式の切り替えに伴う生産性の低下が抑制される、という効果が得られる。
【図面の簡単な説明】
【００２１】
【図１】実施の形態に係る画像記録装置の構成の一例を示す構成図である。
【図２】実施の形態に係る画像記録装置の記録ヘッドの構造例を示す平面透視図であり、（Ａ）は記録ヘッドの平面透視図であり、（Ｂ）はその一部の拡大図であり、（Ｃ）は記録ヘッドの他の構造例である。
【図３】実施の形態に係る画像記録装置の記録ヘッドのインク室ユニットの構成を示す断面図であり、図２（Ａ）及び（Ｂ）に示す４−４線に沿った断面図である。
【図４】実施の形態に係る画像記録装置の記録ヘッドのノズル配列を示す拡大図である。
【図５】実施の形態に係る搬送部に含まれる圧胴の構成の一例を示す構成図である。
【図６】実施の形態に係る溶媒乾燥ユニットの構成の一例を示す構成図である。
【図７】実施の形態に係る画像記録装置の電気系の構成の一例を示すブロック図である。
【図８】実施の形態に係る画像記録処理プログラムの処理の流れの一例を示すフローチャートである。
【図９】実施の形態に係る非バリアブル印刷を実行した場合の保持領域に対する給紙状態及び圧胴の外周面の温度変化の一例を示す模式図である。
【図１０】実施の形態に係る原則給紙方式のバリアブル印刷を実行した場合の保持領域に対する給紙状態及び圧胴の外周面の温度変化の一例を示す模式図である。
【図１１】実施の形態に係る枚数式給紙切り替えモードによるバリアブル印刷を実行した場合の保持領域に対する給紙状態及び圧胴の外周面の温度変化の一例を示す模式図である。
【図１２】実施の形態に係る温度式給紙切り替えモードによるバリアブル印刷を実行した場合の保持領域に対する給紙状態及び圧胴の外周面の温度変化の一例を示す模式図である。
【図１３】実施の形態に係る画像記録装置の構成の変形例を示す構成図である。
【発明を実施するための形態】
【００２２】
以下、図面を参照して本発明の実施の形態の一例を詳細に説明する。図１には、本実施の形態に係る画像記録装置１００が示されている。画像記録装置１００は、記録媒体１１４（本実施の形態では、一例として記録用紙）の片面（一例として「おもて面」）のみに画像を記録可能とされ、記録媒体１１４を供給する給紙部１０２、記録媒体１１４に対して浸透抑制処理を行う浸透抑制処理部１０４、記録媒体１１４に処理液を付与する処理液付与部１０６、記録媒体１１４に色インクを付与して画像記録を行う記録部１０８、記録媒体１１４に記録された画像に定着処理を施す定着処理部１１０及び画像が記録された記録媒体１１４を搬送して排出する排紙部１１２を備えている。
【００２３】
給紙部１０２には、記録媒体１１４が積載される給紙台１２０が設けられている。給紙台１２０の前方（図１における左側）にはフィーダボード１２２が設けられており、給紙台１２０に積載された記録媒体１１４は、フィーダボード１２２によって１番上から順に１枚ずつ送り出される。フィーダボード１２２によって送り出された記録媒体１１４は、給紙胴１２４ａを経由して浸透抑制処理部１０４の圧胴１２６ａの表面（外周面）に到達する。
【００２４】
給紙胴１２４ａには、記録媒体１１４の先端部を保持するグリッパ１２３が、圧胴１２６ａには、記録媒体１１４の先端部を保持するグリッパ１２５が設けられている。給紙胴１２４ａのグリッパ１２３に保持された記録媒体１１４の先端部が、給紙胴１２４ａと圧胴１２６ａとの接触位置（記録媒体１１４の受け渡し位置）に到達すると、給紙胴１２４ａのグリッパ１２３から圧胴１２６ａのグリッパ１２５へ記録媒体１１４の先端部の受け渡しが行われる。なお、給紙胴１２４ａ以外の渡し胴も給紙胴１２４ａと相違しない構成とされているので、以下、これらを区別して説明する必要がない場合は符号を付さずに「渡し胴」という。また、圧胴１２６ａ以外の圧胴も圧胴１２６ａと相違しない構成とされているので、以下、これらを区別して説明する必要がない場合は符号付さずに「圧胴」という。また、本実施の形態では、圧胴及び渡し胴は、互いに相違しない大きさ及び形状とされ、給紙胴は圧胴の半径の１／２とされている。圧胴及び渡し胴の各々につき２個のグリッパ１２５が設けられ、給紙胴に１つのグリッパ１２１が設けられている。すなわち、渡し胴の胴径及び圧胴の胴径は相違しないため、渡し胴及び圧胴間での記録媒体１１４の受け渡しを実現すべく、渡し胴にはグリッパ１２３が半周毎に、圧胴にもグリッパ１２５が半周毎に各々設けられている。
【００２５】
また、浸透抑制処理部１０４には、圧胴１２６ａの回転（輪転）方向（図１における反時計回り方向）に沿って上流側から順に、圧胴１２６ａの表面に対向する位置に、用紙予熱ユニット１２８、浸透抑制剤ヘッド１３０及び浸透抑制剤乾燥ユニット１３２が各々設けられている。用紙予熱ユニット１２８及び浸透抑制剤乾燥ユニット１３２には予め定められた温度範囲に制御されるヒータが設けられており、圧胴１２６ａに保持された記録媒体１１４は、用紙予熱ユニット１２８や浸透抑制剤乾燥ユニット１３２に対向する位置を通過する際、これらユニットのヒータによって加熱される。
【００２６】
浸透抑制剤ヘッド１３０は浸透抑制剤を液滴として吐出することで、圧胴１２６ａに保持される記録媒体１１４に浸透抑制剤を付着させるものであり、後述する記録部１０８の各記録ヘッド１４０Ｃ，１４０Ｍ，１４０Ｙ，１４０Ｋと相違しない構成のヘッドが適用される。なお、浸透抑制剤としては熱可塑性樹脂ラテックス溶液が好適であるが、これに限られるものではなく、例えば平板粒子（雲母等）や撥水剤（フッ素コーティング剤）などを適用しても良い。また、記録媒体１１４への浸透抑制剤の付着にインクジェットヘッドを用いることに代えて、例えばスプレー方式や塗布方式などの各種方式を適用しても良い。
【００２７】
浸透抑制処理部１０４の後段に配置された処理液付与部１０６は圧胴１２６ｂを備え、浸透抑制処理部１０４の圧胴１２６ａと処理液付与部１０６の圧胴１２６ｂとの間には、これらに各々接するように渡し胴１２４ｂが設けられている。これにより、浸透抑制処理部１０４の圧胴１２６ａに保持された記録媒体１１４は、浸透抑制処理が行われた後に、渡し胴１２４ｂを経由して処理液付与部１０６の圧胴１２６ｂに受け渡される。
【００２８】
処理液付与部１０６には、圧胴１２６ｂの回転方向（図１における反時計回り方向）に沿って上流側から順に、圧胴１２６ｂの表面に対向する位置に、用紙予熱ユニット１３４、処理液ヘッド１３６及び処理液乾燥ユニット１３８が各々設けられている。処理液付与部１０６の用紙予熱ユニット１３４、処理液ヘッド１３６及び処理液乾燥ユニット１３８は、前述した浸透抑制処理部１０４の用紙予熱ユニット１２８、浸透抑制剤ヘッド１３０及び浸透抑制剤乾燥ユニット１３２と各々相違しない構成であるので説明を省略する。もちろん、浸透抑制処理部１０４と異なる構成を適用しても良いことは言うまでもない。
【００２９】
なお、処理液付与部１０６によって記録媒体１１４に付着される処理液としては、例えば、後段の記録部１０８に配置される各記録ヘッド１４０Ｃ，１４０Ｍ，１４０Ｙ，１４０Ｋから記録媒体１１４に向かって吐出されるインクに含有される色材を凝集させる作用を有する酸性液が挙げられる。また、用紙予熱ユニット１３４は省略しても良いが、本実施の形態のように、記録媒体１１４上に処理液が付与される前に用紙予熱ユニット１３４のヒータによって記録媒体１１４を予備加熱した場合、処理液の乾燥に要する加熱エネルギーを低く抑えられるので、省エネルギー化が図れる。
【００３０】
処理液乾燥ユニット１３８のヒータの加熱温度は、圧胴１２６ｂの回転方向上流側に配置される処理液ヘッド１３６の吐出動作によって記録媒体１１４の表面に付与された処理液を乾燥させ、記録媒体１１４上に固体状又は半固溶状の凝集処理剤層（処理液が乾燥した薄膜層）が形成されるような温度に設定される。ここでいう「固体状または半固溶状の凝集処理剤層」とは、乾燥後の処理液中に含まれる水の単位面積当りの重量（ｇ／ｍ2）を、乾燥後の処理液の単位面積当りの重量（ｇ／ｍ2）で除算することで求まる含水率が０％以上７０％以下の範囲内のものをいう。
【００３１】
処理液付与部１０６の後段に配置された記録部１０８は圧胴１２６ｃを備え、処理液付与部１０６の圧胴１２６ｂと記録部１０８の圧胴１２６ｃとの間には、これらに各々接するように渡し胴１２４ｃが設けられている。これにより、処理液付与部１０６の圧胴１２６ｂに保持された記録媒体１１４は、処理液が付与されて固体状又は半固溶状の凝集処理剤層が形成された後に、渡し胴１２４ｃを経由して記録部１０８の圧胴１２６ｃに受け渡される。
【００３２】
記録部１０８には、圧胴１２６ｃの回転方向（図１における反時計回り方向）に沿って上流側から順に、圧胴１２６ｃの表面に対向する位置に、ＣＭＹＫの４色のインクに各々対応した記録ヘッド１４０Ｃ，１４０Ｍ，１４０Ｙ，１４０Ｋと、溶媒乾燥ユニット１４２ａ，１４２ｂとが各々設けられている。なお、以下では、記録ヘッド１４０Ｃ，１４０Ｍ，１４０Ｙ，１４０Ｋを区別して説明する必要がない場合は末尾のアルファベットを省略して「記録ヘッド１４０」と称する。
【００３３】
本実施の形態では、各記録ヘッド１４０として、前述の浸透抑制剤ヘッド１３０や処理液ヘッド１３６と同様に、インクジェット方式の記録ヘッド（インクジェットヘッド）を適用している。すなわち、各記録ヘッド１４０は、それぞれ対応する色のインク滴を圧胴１２６ｃに保持された記録媒体１１４に向けて吐出する。
【００３４】
圧胴１２６ｃの上方には、記録ヘッド１４０を保持するヘッドホルダ４０が配置されており、各記録ヘッド１４０は圧胴１２６ｃの外周面の周方向に沿って互いに予め定められた角度を有するようにヘッドホルダ４０によって保持されている。すなわち、ヘッドホルダ４０は、記録ヘッド１４０を、記録ヘッド１４０のインク吐出面αを圧胴１２６ｃの外周面に対面させると共に、圧胴１２６ｃの外周面に保持された記録媒体１１４に画像を記録する画像記録位置に固定する。
【００３５】
各記録ヘッド１４０は、それぞれ圧胴１２６ｃに保持される記録媒体１１４における画像記録領域の最大幅に対応する長さを有し、そのインク吐出面αには画像記録領域の全幅に亘ってインク吐出用のノズル（図２の符号１６１を参照）が複数配列されたフルライン型のヘッドとなっている。各記録ヘッド１４０は圧胴１２６ｃの回転方向（記録媒体１１４の搬送方向）と略直交する方向に延在するように固定設置されている。なお、本実施の形態では上記のようにＣＭＹＫの４色のインクを用いて画像を記録する構成を例に挙げているが、これに限らず、インクの色やその組み合わせは変更しても良く、例えば必要に応じて淡インク（例えばライトシアン、ライトマゼンタなどのライト系インク）や濃インク、特別色インクを追加しても良い。また、各色のヘッドの配置順序についても図１に示した順序に限られるものではない。
【００３６】
上記のように、記録媒体１１４の被記録面における画像記録領域の全幅をカバーするノズル列を有するフルラインヘッドがインクの色毎に設けられた構成では、記録媒体１１４の搬送方向（副走査方向）について、記録媒体１１４と各記録ヘッド１４０を相対的に移動させる動作を１回行うだけで（すなわち１回の副走査で）、記録媒体１１４の画像記録領域に画像を記録できる。これにより、記録媒体１１４の搬送方向（副走査方向）と直交する方向（主走査方向）に往復動作するシリアル（シャトル）型ヘッドを用いる場合と比較して画像を高速に記録可能であり、プリント生産性が向上する。
【００３７】
また、溶媒乾燥ユニット１４２ａ，１４２ｂは、前述した用紙予熱ユニット１２８、１３４や浸透抑制剤乾燥ユニット１３２、処理液乾燥ユニット１３８のように、予め定められた温度範囲に制御されるヒータを含んで構成される。後述するように、記録媒体１１４上に形成された固体状又は半固溶状の凝集処理剤層上にインク滴が付着すると、記録媒体１１４上にはインク凝集体（色材凝集体）が形成されると共に、色材と分離されたインク溶媒が広がり、凝集処理剤が溶解した液体層が形成される。このようにして記録媒体１１４上に残った溶媒成分（液体成分）は、記録媒体１１４の反り返りだけでなく、画像劣化を招く要因となる。そこで本実施の形態では、各記録ヘッド１４０から各色のインク滴が記録媒体１１４上に付着された後、溶媒乾燥ユニット１４２ａ，１４２ｂ（以下、区別して説明する必要がない場合は「溶媒乾燥ユニット１４２」と称する。）のヒータによって熱を与えることで溶媒成分を蒸発させる乾燥処理を行っている。
【００３８】
また、記録部１０８の後段に配置された定着処理部１１０は圧胴１２６ｄを備え、記録部１０８の圧胴１２６ｃと定着処理部１１０の圧胴１２６ｄとの間には、これらに各々接するように渡し胴１２４ｄが設けられている。これにより、記録部１０８の圧胴１２６ｃに保持された記録媒体１１４は、記録部１０８で各色のインク滴が付着された後に、渡し胴１２４ｄを経由して記録部１０８の圧胴１２６ｃに受け渡される。定着処理部１１０には、圧胴１２６ｄの回転方向（図１における反時計回り方向）に沿って上流側から順に、圧胴１２６ｄの表面に対向する位置に加熱ローラ１４８ａ，１４８ｂがそれぞれ設けられている。
【００３９】
なお、本実施の形態の定着処理部１１０では、画像記録後に、加熱ローラ１４８ａ，１４８ｂによる加熱及び加圧によって定着処理が行われるが、これに限られるものではなく、例えば透明ＵＶインクを付着させた後にＵＶ光を照射することで、透明ＵＶインクの硬化によって記録媒体１１４に画像を定着させる等の他の構成を適用しても良い。
【００４０】
定着処理部１１０の後段に配置された排紙部１１２には、定着処理が施された記録媒体１１４を受ける排紙胴１５０と、該記録媒体１１４を積載する排紙台１５２と、排紙胴１５０に設けられたスプロケットと排紙台１５２の上方に設けられたスプロケットとの間に掛け渡され、複数の排紙用グリッパを備えた排紙用チェーン１５４と、が設けられている
【００４１】
次に、図２を参照して記録ヘッド１４０について説明する。図２（Ａ）（Ｂ）記録ヘッド１４０のインク吐出面α側の平面視概略透視図が示されている。一例として図２(Ａ),(Ｂ)に示すように、本実施の形態に係る記録ヘッド１４０は、インク滴の吐出口であるノズル１６１と、各ノズル１６１に対応する圧力室１６２等から成る複数のインク室ユニット１６３がマトリクス状に（２次元的に）配置された構成とされ、これにより、ヘッド長手方向（記録媒体１１４の搬送方向と直交する主走査方向）に沿った実質的なノズル間隔（投影ノズルピッチ）の高密度化、ひいては記録媒体１１４上に形成されるドットピッチの高密度化を実現している。なお、記録ヘッド１４０は図２(Ａ)に示す構成に限られるものではなく、例えば図２(Ｃ)に示すように、複数のノズル１６１が２次元に配列された短尺のヘッドブロック１６０を千鳥状に配列して繋ぎ合わせた構成でも良いし、図示は省略するが、短尺のヘッドを一列に並べた構成でも良い。
【００４２】
圧力室１６２はその平面形状が略正方形とされ、対角線上の両隅部にノズル１６１と供給口１６４が設けられている。一例として図３に示すように、各圧力室１６２は供給口１６４を介して共通流路１６５と連通されている。共通流路１６５はインク供給源であるインク供給タンク（図示省略）と連通しており、該インク供給タンクから供給されるインクは共通流路１６５を介して各圧力室１６２に分配供給される。圧力室１６２の天面を構成すると共に、共通電極としての機能を兼ね備えた振動板１６６には、個別電極１６７を備えた圧電素子１６８が接合されており、圧電素子１６８は個別電極１６７に駆動電圧が印加されると変形し、この圧電素子１６８の変形に伴ってノズル１６１からインク滴が吐出される。そして、ノズル１６１からのインク滴の吐出に伴い、共通流路１６５から供給口１６４を通って新しいインクが圧力室１６２に供給される。
【００４３】
なお、本実施の形態では、ノズル１６１からインク滴を吐出させる吐出力発生手段として圧電素子１６８を用いているが、これに代えて圧力室１６２内にヒータを設け、ヒータの加熱による膜沸騰の圧力を利用してインクを吐出させるサーマル方式を適用しても良い。  一例として図４に示すように、本実施の形態に係る記録ヘッド１４０は、上述した構成のインク室ユニット１６３が、主走査方向に沿う行方向と、主走査方向に対して直交しない一定角度θを成す傾斜した列方向と、に沿って一定の配列パターンでマトリクス状に多数配列されていることで、投影ノズルピッチの高密度化を実現している。すなわち、主走査方向に対して一定角度θを成す方向に沿ってインク室ユニット１６３が一定のピッチｄで複数配列されていることで、主走査方向に沿った投影ノズルピッチＰはｄ×cosθとなり、主走査方向については、各ノズル１６１が一定のピッチＰで直線状に配列されたものと等価的に取り扱われる。これにより、主走査方向に沿って１インチ当たり2400個（2400ノズル／インチ）にも及ぶ高密度にノズルが配列されたに等しい記録ヘッドが得られる。
【００４４】
また、本実施の形態では、画像が記録され得る幅の全幅に対応した長さのノズル列を有するフルラインヘッドで、各ノズルからインク滴を吐出させて記録媒体１１４の幅方向（記録媒体１１４の搬送方向と略直交する方向）に沿った１ライン（１列のドットによるラインまたは複数列のドットから成るライン）を記録する際のノズル駆動方式としては、(１)全ノズルを同時に駆動する、(２)ノズルを一方から他方に向けて順次駆動する、(３)ノズルを複数ブロックに分割し、ブロック毎に一方から他方に向けて順次駆動する、等の何れかが適用される。なお、本明細書では、上記何れかの駆動方式によって記録媒体１１４の幅方向に沿った１ラインを記録させるためのノズルの駆動を主走査と定義する。
【００４５】
なお、図２(Ａ),(Ｂ)に示すようなマトリクス状に配置されたノズル１６１を駆動する場合は、上記(３)の主走査(ノズル駆動方式)が好ましい。具体的には、図４に示すノズル１６１-11、１６１-12、１６-13、１６１-14、１６１-15、１６１-16を１つのブロックとし（他にはノズル１６１-21、…、１６１-26を１つのブロック、ノズル１６１-31、…、１６１-36を１つのブロック、…として）、記録媒体１１４の搬送速度に応じてノズル１６１-11、１６１-12、…、１６１-16を順次駆動することで記録媒体１１４の幅方向に１ラインを記録する。
【００４６】
一方、本明細書では、上述したフルラインヘッドと記録媒体１１４とを相対移動させることによって、上述した主走査で形成された１ライン（１列のドットによるラインまたは複数列のドットから成るライン）の記録を繰り返し行うことを副走査と定義する。そして、上述の主走査によって記録される１ライン（或いは帯状領域の長手方向）の示す方向を主走査方向といい、上述の副走査を行う方向を副走査方向という。すなわち、本実施の形態では記録媒体１１４の搬送方向が副走査方向、それに直交する記録媒体１１４の幅方向が主走査方向となる。
【００４７】
なお、ノズル１６１の配置構造は図示の例に限定されない。例えば、副走査方向に１列のノズル列を有する配置構造など、様々なノズル配置構造を適用できる。また、ライン型ヘッドによる記録方式に限定されず、記録媒体１１４の幅方向の長さに満たない短尺のヘッドを記録媒体１１４の幅方向に走査させて当該幅方向の記録を行い、１回の幅方向の記録が終わると記録媒体１１４を幅方向と略直交する方向に予め定められた量だけ移動させて、次の記録領域の記録媒体１１４の幅方向の記録を行い、この動作を繰り返して記録媒体１１４の記録領域の全面にわたって記録を行うシリアル方式を適用しても良い。
【００４８】
図５は、記録部１０８に含まれる圧胴１２６ｃの構成の一例を示す概略構成図である。図５に示すように、圧胴１２６ｃは円柱状に形成されている。圧胴１２６ｃの外周面には保持領域Ｘ，Ｙが設けられている。すなわち、圧胴１２６ｃの外周面は周方向に沿って予め定められた間隔（ここでは一例として半周単位）で区分けして得られると共に渡し胴１２４ｃ、圧胴１２６ｂ、渡し胴１２４ｂ、圧胴１２６ａ及び給紙胴１２４ａを介して各々給紙部１０２によって供給される単一の記録媒体１１４を保持する複数の保持領域の一例である保持領域Ｘ，Ｙ（以下、区別して説明する必要がない場合は符号を付さずに「保持領域」という。）を有している。また、保持領域Ｘ，Ｙの各々には保持手段の一例であるグリッパ１２５が設けられており、各保持領域のグリッパ１２５は、渡し胴１２４ｃから送り出された記録媒体１１４を受け取ると共に、対応する保持領域に保持する。このように保持領域に保持された記録媒体１１４は圧胴１２６ｃが周方向（一例として図５に示す円弧矢印方向）に輪転することにより搬送される。
【００４９】
図６は、記録部１０８に含まれる溶媒乾燥ユニット１４２の構成の一例を示す概略構成図である。図６に示すように溶媒乾燥ユニット１４２は、圧胴１２６ｃの外周面が通過する予め定められた通過領域（以下、単に「通過領域」という。）に対して熱を付与するように発熱する発熱手段の一例である複数のＩＲヒータ１４３ａ及び複数の熱風ヒータ１４３ｂ（以下、区別して説明する必要がない場合は「ヒータ１４３」という。）を備えている。また、溶媒乾燥ユニット１４２には通過領域の温度を測定する温度センサ１４５が備えられている。なお、用紙予熱ユニット１２８、浸透抑制剤乾燥ユニット１３２、用紙予熱ユニット１３４及び処理液乾燥ユニット１３８の各々も基本的には溶媒乾燥ユニット１４２と相違しない構成とされている。また、温度センサ１４５が配される位置は図示する位置に限定される必要はなく、圧胴１２６ｃの外周面が通過する領域として予め定められた領域の温度を測定し得る位置であれば良い。
【００５０】
図７には、本実施の形態に係る画像記録装置１００の電気系の構成の一例が示されている。同図に示すように、画像記録装置１００はシステム制御部１８２を備え、システム制御部１８２には、温度センサ１４５、通信インターフェース(Ｉ／Ｆ)部１８０、メモリ１８４、ＵＩパネル１８５、モータドライバ１８６、ヒータドライバ１８８、給紙ドライバ１８９及びプリント制御部１９０が各々接続されている。なお、プリント制御部１９０とシステム制御部１８２とを統合して１つのプロセッサで構成しても良い。
【００５１】
通信Ｉ／Ｆ部１８０は、送信装置の一例であるホストコンピュータ１９６から送られてくる画像データを受信するインターフェース部である。通信Ｉ／Ｆ部１８０における通信プロトコルとしてはＵＳＢ(Universal Serial Bus)、ＩＥＥＥ１３９４、イーサネット(登録商標)、無線ネットワーク等のシリアルインターフェースや、セントロニクス等のパラレルインターフェースの何れかが適用される。ホストコンピュータ１９６から送出された画像データは通信Ｉ／Ｆ部１８０を介して画像記録装置１００に取り込まれ、メモリ１８４に一旦記憶される。
【００５２】
メモリ１８４は、システム制御部１８２を通じてデータの読み書きが行われる一次記憶部と、半導体素子を備えたＥＥＰＲＯＭやハードディスクを備えた磁気記憶媒体などの二次記憶部と、を含んで構成されている。このように構成されたメモリ１８４は、画像データの一時記憶領域として利用されると共に、プログラムの展開領域及びＣＰＵ（中央処理装置）の演算作業領域としても利用される。また、メモリ１８４には、システム制御部１８２のＣＰＵが実行する処理に必要な各種データ等が記憶されている。更に、メモリ１８４には、後述する画像記録処理プログラムが実行された際に用いられる情報であって、記録媒体１１４の供給先である保持領域を切り替える条件として予め設定されている記録媒体１１４の枚数を示す設定枚数情報が予め記憶されている。
【００５３】
ＵＩパネル１８５は、ディスプレイ上に透過型のタッチパネルが重ねられたタッチパネルディスプレイ等から構成され、各種情報がディスプレイの表示面に表示されると共に、利用者がタッチパネルに触れることにより情報や指示が受け付けられる。なお、本実施の形態では、ＵＩパネル１８５を適用した形態例を挙げて説明しているが、これに限らず、液晶ディスプレイなどの表示部とテンキーや操作ボタンなどが設けられた操作部とが別々に設けられた形態としても良い。
【００５４】
システム制御部１８２は、ＣＰＵ及びその周辺回路等から構成され、予め定められたプログラムに従って画像記録装置１００の全体を制御する制御装置として機能すると共に、各種演算を行う演算装置として機能する。すなわち、システム制御部１８２は、ホストコンピュータ１９６との情報の授受、メモリ１８４に対するアクセス、ＵＩパネル１８５で受け付けられた情報や指示の取得及びＵＩパネル１８５による情報の表示等を行うと共に、搬送系のモータ１９８やヒータ１４３を制御するための制御信号を生成する。
【００５５】
また、システム制御部１８２はプログラム格納部１８２Ａを内蔵している。プログラム格納部１８２Ａには各種制御プログラムが格納されており、システム制御部１８２の指令に応じて、制御プログラムが読み出され、ＣＰＵによって実行される。プログラム格納部はＲＯＭやＥＥＰＲＯＭなどの半導体メモリを用いても良いし、磁気ディスクなどを用いても良い。外部インターフェースを備え、メモリカードやＰＣカードを用いても良い。もちろん、これらの記憶媒体のうちの１つ又は複数を備えても良い。なお、プログラム格納部１８２Ａは動作パラメータ等の記億手段と兼用しても良い。また、プログラム格納部１８２Ａには、システム制御部１８２のＣＰＵによって後述する画像記録処理を行うための画像記録処理プログラムも格納されている。
【００５６】
モータドライバ１８６にはモータ１９８が接続されており、モータドライバ１８６はシステム制御部１８２からの指示に従ってモータ１９８を駆動する。なお、図７に示すモータ１９８は実際には複数個のモータから成り、例えば図１に示す圧胴１２６ａ〜１２６ｄや給紙胴１２４ａ、渡し胴１２４ｂ〜１２４ｄ、排紙胴１５０を駆動するモータ等が含まれている。ヒータドライバ１８８にはヒータ１４３が接続されており、ヒータドライバ１８８はシステム制御部１８２からの指示に従ってヒータ１４３を駆動する。なお、図７に示すヒータ１４３についても実際には複数個のヒータから成り、例えば図１に示す用紙予熱ユニット１２８、１３４や浸透抑制剤乾燥ユニット１３２、処理液乾燥ユニット１３８、溶媒乾燥ユニット１４２ａ、１４２ｂのヒータ、加熱ローラ１４８ａ，１４８ｂに内蔵されるヒータ等が含まれている。給紙ドライバ１８９には給紙部１０２が接続されており、給紙ドライバ１８９はシステム制御部１８２からの指示に従って給紙部１０２を駆動する。また、給紙部１０２は、記録媒体１１４を１枚給紙する毎（例えば１枚の給紙を完了する毎）に、１枚の給紙を完了したことを示す給紙完了信号をシステム制御部１８２に出力する。従って、システム制御部１８２は、入力された給紙完了信号に基づいて、給紙が完了したか否かを１枚単位で把握する。なお、給紙が完了したか否かの判定は、例えば記録媒体１１４の先後端を検出するセンサ（例えばフォトセンサ）をフィーダボード１２２と給紙胴１２４ａとの間に設置し、このセンサが記録媒体の後端を検出した際に出力した検出信号に基づいて行われる。
【００５７】
プリント制御部１９０にはヘッドドライバ１９４、処理液ヘッドドライバ１９５、浸透抑制剤ヘッドドライバ１９７、画像バッファメモリ１９２が各々接続されている。プリント制御部１９０は、システム制御部１８２からの指示に従い、メモリ１８４に記憶されている画像データから画像記録用のデータや、浸透抑制剤吐出用の信号、処理液吐出用の信号を生成するための処理を行う信号処理機能を有しており、生成された画像記録用のデータ（ドットデータ）はヘッドドライバ１９４に供給され、生成された浸透抑制剤吐出用の信号は浸透抑制剤ヘッドドライバ１９７に供給され、生成された処理液吐出用の信号は処理液ヘッドドライバ１９５に供給される。また、プリント制御部１９０で上記の信号処理が行われる際には、画像データやパラメータ等のデータが画像バッファメモリ１９２に一時的に格納される。
【００５８】
ヘッドドライバ１９４には記録ヘッド１４０が接続されており、ヘッドドライバ１９４は、プリント制御部１９０から供給された画像記録用のデータに基づいて記録ヘッド１４０の圧電素子１６８に印加するための駆動信号を生成すると共に、該駆動信号を圧電素子１６８に印加して圧電素子１６８を駆動する駆動回路を含んで構成される。また、圧電素子１６８を駆動して記録ヘッド１４０からインク滴を吐出させる際には、ヘッドドライバ１９４によって記録ヘッド１４０の吐出液滴量や吐出タイミングの制御も行われる。これにより、要求に応じたサイズのドットが要求に応じた配置で記録媒体１１４に記録される。なお、ヘッドドライバ１９４は、記録ヘッド１４０の駆動条件を一定に保つためのフィードバック制御系を含んで構成しても良い。
【００５９】
また、浸透抑制剤ヘッドドライバ１９７には浸透抑制剤ヘッド１３０が接続されており、浸透抑制剤ヘッドドライバ１９７はプリント制御部１９０から供給された浸透抑制剤吐出用の信号に従って、浸透抑制剤ヘッド１３０から浸透抑制剤を吐出させる。また、処理液ヘッドドライバ１９５には処理液ヘッド１３６が接続されており、処理液ヘッドドライバ１９５はプリント制御部１９０から供給された処理液吐出用の信号に従って、処理液ヘッド１３６から処理液を吐出させる。
【００６０】
次に本実施の形態の作用として、まず記録媒体１１４に画像を記録する場合の画像記録装置１００の各部の動作を説明する。記録媒体１１４に画像を記録する場合、給紙部１０２の給紙台１２０からフィーダボード１２２に記録媒体１１４が送り出される。記録媒体１１４は、給紙胴１２４ａを経由して浸透抑制処理部１０４の圧胴１２６ａに保持され、用紙予熱ユニット１２８によって予備加熱され、浸透抑制剤ヘッド１３０から吐出された浸透抑制剤が付着される。その後、圧胴１２６ａに保持された記録媒体１１４は、浸透抑制剤乾燥ユニット１３２によって加熱され、浸透抑制剤の溶媒成分（液体成分）が蒸発することで乾燥される。
【００６１】
上記の浸透抑制処理が行われた記録媒体１１４は、浸透抑制処理部１０４の圧胴１２６ａから渡し胴１２４ｂを経由して処理液付与部１０６の圧胴１２６ｂに受け渡される。圧胴１２６ｂに保持された記録媒体１１４は、用紙予熱ユニット１３４によって予備加熱され、処理液ヘッド１３６から吐出された処理液が付着される。その後、圧胴１２６ｂに保持された記録媒体１１４は、処理液乾燥ユニット１３８によって加熱され、処理液の溶媒成分（液体成分）が蒸発することで乾燥される。これにより、記録媒体１１４上には固体状又は半固溶状の凝集処理剤層が形成される。
【００６２】
ここで、記録媒体１１４に形成された凝集処理剤層上にインク滴が着弾すると、インク滴の飛翔エネルギーと表面エネルギーとのバランスにより、インク滴と凝集処理剤層との接触面は予め定められた面積になる。インク滴が凝集処理剤上に着弾した直後に凝集反応が始まるが、この凝集反応は、インク滴と凝集処理剤層との接触面から始まると共に接触面近傍のみで起こり、インク着弾時における予め定められた接触面積で付着力を得た状態でインク内の色材が凝集されるため、色材移動が抑止される。このインク滴に隣接して他のインク滴が着弾しても先に着弾したインクの色材は既に凝集化しているので後から着弾するインクとの間で色材同士が混合せず、ブリードが抑止される。なお、色材の凝集後には、分離されたインク溶媒が広がり、凝集処理剤が溶解した液体層が記録媒体１１４上に形成される。そして、圧胴１２６ｃに保持された記録媒体１１４は溶媒乾燥ユニット１４２ａ、１４２ｂによって加熱され、記録媒体１１４上でインク凝集体と分離した溶媒成分（液体成分）が蒸発することで乾燥される。この結果、記録媒体１１４の反り返りが防止されると共に、溶媒成分に起因する画像品質の劣化が抑制される。
【００６３】
記録部１０８によって色インクが付与されて画像が記録された記録媒体１１４は、記録部１０８の圧胴１２６ｃから渡し胴１２４ｄを経由して定着処理部１１０の圧胴１２６ｄに受け渡され、加熱ローラ１４８ａ，１４８ｂによって加熱及び押圧処理が施される。更に、その後、記録媒体１１４は圧胴１２６ｄから排紙胴１５０に受け渡され、排紙用チェーン１５４によって排紙台１５２まで搬送される。このようにして画像が記録された記録媒体１１４は、排紙用チェーン１５４によって排紙台１５２の上方に搬送され、排紙台１５２上に積載される。
【００６４】
次に、図８を参照してプログラム格納部１８２Ａに格納されている画像記録処理プログラムがシステム制御部１８２のＣＰＵによって実行された場合の画像記録装置１００の動作について説明する。なお、ここでは、錯綜を回避するために、圧胴１２６ａ〜１２６ｄ、給紙胴１２４ａ、渡し胴１２４ｂ〜１２４ｄ及び排紙胴１５０が予め定められた速度で輪転している場合について説明する。また、ここでは、錯綜を回避するために、ヒータ１４３が駆動（発熱）している場合について説明する。
【００６５】
図８のステップ２００では、記録媒体１１４に画像を記録することを指示する記録指示情報の受信待ちを行う。記録指示情報は、例えばホストコンピュータ１９６から出力される。また、記録指示情報は、保持領域の各々に保持された記録媒体１１４の各々に記録すべき画像を示す画像情報、画像情報を特定する画像特定情報、記録すべき画像の枚数（ここでは、一例として、給紙すべき記録媒体１１４の枚数として指示された枚数）を示す給紙指示枚数情報及び印刷方式（画像記録方式）を示す印刷方式情報を含んで構成されている。なお、ここでは、錯綜を回避するために、印刷方式の一例として、複数の記録媒体１１４の各々における被記録面に対して各々記録すべき内容が被記録面単位の先後で相違しない複数の記録対象画像の各々を、対応する被記録面に記録する印刷（以下、「非バリアブル印刷」という。）方式と、複数の記録媒体１１４の各々における被記録面（一例として「おもて面」）に対して各々記録すべき内容が被記録面単位の先後で相違する複数の記録対象画像の各々を、対応する被記録面に記録する印刷（以下、「バリアブル印刷」という。）方式と、が適用されている。
【００６６】
ステップ２００において記録指示情報を受信すると肯定判定となってステップ２０２に移行し、印刷方式情報がバリアブル印刷方式を示す場合には肯定判定となってステップ２０４に移行する。ステップ２０４では、所定の保持領域（ここでは一例として保持領域Ｘ）に予め定められた枚数の記録媒体１１４が供給された場合に給紙先を切り替える枚数式給紙切替モードが設定されているか否かを判定する。なお、枚数式給紙切替モードの設定はユーザが事前にＵＩパネル１８５を介して行っても良いし、ホストコンピュータ１９６を介して設定しても良い。
【００６７】
ステップ２０４において肯定判定となった場合にはステップ２０６に移行する。ステップ２０６では、メモリ１８４から設定枚数情報を取得すると共に、上記ステップ２００の処理で受信された記録指示情報に含まれる給紙指示枚数情報を取得した後、ステップ２０８に移行する。なお、設定枚数情報は、ユーザが事前にＵＩパネル１８５を介して設定しても良いし、ホストコンピュータ１９６を介して設定しても良い。
【００６８】
ステップ２０８では、給紙先として指定された保持領域（ここでは一例として保持領域Ｘ。但し、後述するステップ２１４で給紙先が切り替えられた場合は保持領域Ｙ）に記録媒体１１４を供給するように給紙部１０２、給紙胴１２４ａ、渡し胴１２４ｂ〜１２４ｄ及び排紙胴１５０の各駆動を制御することにより、所定の保持領域に給紙した後、ステップ２１０に移行する。なお、本ステップ２０８では、本画像記録処理プログラムの処理の実行が開始されてから現時点までの給紙枚数をカウントするカウンタの値を１インクリメントする。ステップ２１０では、現時点のカウンタの値（給紙枚数）が上記ステップ２０６の処理で取得された給紙指示枚数情報により示される枚数でないか否かを判定し、否定判定となった場合（「給紙枚数＝指示枚数」の場合）にはカウンタの値をリセットしてからステップ２１１に移行する一方、肯定判定となった場合にはステップ２１２に移行する。ステップ２１２では、現時点のカウンタの値（給紙枚数）が上記ステップ２０６の処理で取得された設定枚数情報により示される枚数に達したか否かを判定し、肯定判定となった場合（「給紙枚数＝設定枚数」の場合）にはステップ２１４に移行する一方、否定判定となった場合には上記ステップ２１６に移行する。
【００６９】
ステップ２１４では、記録媒体１１４の現時点の給紙先である保持領域を他の保持領域に切り替えるように制御した後、ステップ２１６に移行する。例えば、現時点での給紙先が保持領域Ｘであれば給紙先を保持領域Ｙとするように給紙部１０２、圧胴１２６ａ〜１２６ｄ、給紙胴１２４ａ、渡し胴１２４ｂ〜１２４ｄ及び排紙胴１５０の各作動を制御し、逆に、現時点での給紙先が保持領域Ｙであれば給紙先を保持領域Ｘとするように給紙部１０２、圧胴１２６ａ〜１２６ｄ、給紙胴１２４ａ、渡し胴１２４ｂ〜１２４ｄ及び排紙胴１５０の各作動を制御する。
なお、ステップ２１１では、給紙動作を停止するように制御した後、ステップ２１６に移行する。
【００７０】
ステップ２１６では、記録媒体１１４の被記録面が画像記録位置に到達するまで待機した後、ステップ２１８に移行し、上記ステップ２００の処理で受信した記録指示情報に含まれる画像情報により示される画像を、記録ヘッド１４０の作動を制御することにより、画像記録位置に到達した記録媒体１１４の被記録面に記録した後、ステップ２１９に移行し、現時点のカウンタの値（給紙枚数）が上記ステップ２０６の処理で取得された給紙指示枚数情報により示される枚数でないか否かを判定し、否定判定となった場合（「給紙枚数＝指示枚数」の場合）には、カウンタの値をリセットしてからステップ２０８に戻る一方、肯定判定となった場合には本画像記録処理プログラムを終了する。
【００７１】
一方、ステップ２０４において否定判定となった場合にはステップ２２２に移行する。ステップ２２２では、通過領域の温度に応じて給紙先を切り替える温度式給紙切替モードが設定されているか否かを判定し、否定判定となった場合にはステップ２２３に移行し、原則の給紙方式（以下、「原則給紙方式」という。）によるバリアブル印刷を実行した後、本画像記録処理プログラムを終了する。原則給紙方式とは、温度や給紙枚数に依拠することなく保持領域Ｘ，Ｙの一方（ここでは一例として保持領域Ｘ）に記録媒体１１４を供給する給紙方式のことを指す。つまり、他方の保持領域（ここでは一例として保持領域Ｙ）には記録媒体１１４が保持されないこととなる。これを言い換えると、後続する記録対象画像を記録する準備が整うには、保持領域Ｙ（又は保持領域Ｘ）が画像記録位置を通過するのに要する時間（又はその時間以下の時間）が必要ということである。すなわち、原則給紙方式のバリアブル印刷の場合、保持領域Ｘに保持されている記録媒体１１４に対して画像を記録し終えた後、保持領域Ｙには給紙が行われず、この間（保持領域Ｙが画像記録位置を通過する間）、例えば記録ヘッド１４０が後続の記録対象画像を示す画像情報を受信したり、受信した画像情報に応じてインクを吐出させるノズルを指定し直したりすることとなる。よって、原則給紙方式のバリアブル印刷を行う場合、１個の保持領域が画像記録位置を通過する間に後続の記録対象画像の記録の準備が整うこととなる。なお、画像記録位置を通過させる保持領域の個数が１個では（１個の保持領域を飛ばしただけでは）後続の記録対象画像の記録の準備が整わないというのであれば、後続の記録対象画像の記録の準備が整う時間（又はそれ以上の時間）の輪転量（回転量）を稼げるだけの個数にすれば良い。
【００７２】
なお、「原則給紙方式」との文言における「原則」との文言は、バリアブル印刷における給紙方式において、枚数式給紙切替モードによる給紙方式及び温度式給紙切替モードによる給紙方式が例外的な給紙方式であるため、それとの対比で便宜上用いているに過ぎない。「例外」とは言うものの、枚数式給紙切替モードによる給紙方式及び温度式給紙切替モードによる給紙方式は何れも給紙先として１個の保持領域を飛ばすという点は原則給紙方式と相違しない。よって、枚数式給紙切替モードによる給紙方式及び温度式給紙切替モードによる給紙方式は何れも原則給紙方式に対して更なる付加価値を与えた給紙方式とも言える。
【００７３】
ステップ２２２において肯定判定となった場合にはステップ２２４に移行する。ステップ２２４では、給紙先として指定された保持領域（ここでは一例として保持領域Ｘ。但し、後述するステップ２３６で給紙先が切り替えられた場合は保持領域Ｙ）に記録媒体１１４を供給するように給紙部１０２、給紙胴１２４ａ、渡し胴１２４ｂ〜１２４ｄ及び排紙胴１５０の各駆動を制御することにより、所定の保持領域に給紙した後、ステップ２２６に移行する。なお、本ステップ２２４では、本画像記録処理プログラムの処理の実行が開始されてから現時点までの給紙枚数をカウントするカウンタの値を１インクリメントする。
【００７４】
ステップ２２６では、現時点のカウンタの値（給紙枚数）が上記ステップ２００の処理で受信された記録指示情報に含まれる給紙指示枚数情報により示される枚数でないか否かを判定し、否定判定となった場合（「給紙枚数＝指示枚数」の場合）には、カウンタの値をリセットしてからステップ２２７に移行する一方、肯定判定となった場合にはステップ２２８に移行する。なお、ステップ２２７では、給紙動作を停止するように制御した後、ステップ２３８に移行する。
【００７５】
ステップ２２８では、温度センサ１４５で測定された温度を示す測定温度情報を取得した後、ステップ２３０に移行する。ステップ２３０では、上記ステップ２２８の処理で取得された測定温度情報により示される温度が予め定められた温度を超える温度として定められた限界温度異常であるか否かを判定する。ここで言う「予め定められた温度」とは、圧胴１２６ｃの外周面が異常な温度に達したと推測される事前に設定された温度を意味し、本実施の形態では、実機による実験やシミュレーション等によって事前に得られた温度を適用している。また、上記の「異常な温度」とは、例えば、圧胴１２６ｃの外周面の保持領域に保持された記録媒体１１４における画像に対して好ましくない温度（直ちに画像記録動作を中止しなければならない温度というわけではない温度）ということであるが、これに限らず、隣接する渡し胴１２４ｃ，１２４ｄや近隣の機器に対して何らかの悪影響を及ぼす虞がある温度として事前に定められた温度であっても良い。また、「限界温度」とは、このまま画像記録動作を継続すると画像記録装置１００が破損する可能性が極めて高い温度（直ちに画像記録動作を中止した方が良い温度）を意味する。これは、画像記録装置１００による画像記録動作を停止する必要性が高いと認められる温度とも言い換えられる。
【００７６】
ステップ２３０において肯定判定となった場合にはステップ２３２に移行する一方、否定判定となった場合にはステップ２３４に移行する。ステップ２３２では、予め定められた条件を満足するまでヒータ１４３の作動を停止した後、ステップ２３４に移行する。ここでは、ヒータ１４３の作動を停止する（発熱させないようにヒータ１４３を制御する）形態例を挙げているが、これに限らず、給紙部１０２、圧胴１２６ａ〜１２６ｄ、給紙胴１２４ａ、渡し胴１２４ｂ〜１２４ｄ及び排紙胴１５０の各作動も停止するように制御しても良い。すなわち、画像記録動作を停止するということである。また、上記の「予め定められた条件」としては、例えば上記予め定められた温度を下回った、との条件や、ヒータ１４３の作動を停止してから上記予め定められた温度を下回る時間として予め定められた時間を経過した、との条件などが挙げられるが、測定された温度が少なくとも限界温度未満となる条件として予め定められた条件とすれば良い。
【００７７】
ステップ２３４では、上記ステップ２２８の処理で取得された測定温度情報により示される温度が上記予め定められた温度異常であるか否かを判定し、否定判定となった場合には上記ステップ２２８に移行する一方、肯定判定となった場合にはステップ２３６に移行する。ステップ２３６では、記録媒体１１４の現時点の給紙先である保持領域を他の保持領域に切り替えるように制御した後、ステップ２３８に移行する。例えば、現時点での給紙先が保持領域Ｘであれば給紙先を保持領域Ｙとするように給紙部１０２、圧胴１２６ａ〜１２６ｄ、給紙胴１２４ａ、渡し胴１２４ｂ〜１２４ｄ及び排紙胴１５０の各作動を制御し、逆に、現時点での給紙先が保持領域Ｙであれば給紙先を保持領域Ｘとするように給紙部１０２、圧胴１２６ａ〜１２６ｄ、給紙胴１２４ａ、渡し胴１２４ｂ〜１２４ｄ及び排紙胴１５０の各作動を制御する。
【００７８】
ステップ２３８では、記録媒体１１４の被記録面が画像記録位置に到達するまで待機した後、ステップ２４０に移行し、上記ステップ２００の処理で受信した記録指示情報に含まれる画像情報により示される画像を、記録ヘッド１４０の作動を制御することにより、画像記録位置に到達した記録媒体１１４の被記録面に記録した後、ステップ２４１に移行する。ステップ２４１では、現時点のカウンタの値（給紙枚数）が上記ステップ２００の処理で受信された記録指示情報に含まれる給紙指示枚数情報により示される枚数でないか否かを判定し、否定判定となった場合（「給紙枚数＝指示枚数」の場合）には、カウンタの値をリセットしてからステップ２２４に戻る一方、肯定判定となった場合には本画像記録処理プログラムを終了する。
【００７９】
一方、ステップ２０２において印刷方式情報が非バリアブル印刷方式を示す場合には否定判定となってステップ２４２に移行し、ステップ２４２以降の処理にて非バリアブル印刷を実行する。非バリアブル印刷では、保持領域Ｘ，Ｙに対して交互に記録媒体１１４を供給するように制御する。ここで言う「保持領域Ｘ，Ｙに対して交互に記録媒体１１４を供給する」とは、例えば、保持領域Ｘに記録媒体１１４を供給して保持領域Ｙに記録媒体１１４を供給するという動作を繰り返すということである。そのため、先ず、ステップ２４２では、給紙先として指定された保持領域（ここでは一例として保持領域Ｘ。但し、後述するステップ２４６で給紙先が切り替えられた場合は保持領域Ｙ）に記録媒体１１４を供給するように給紙部１０２、給紙胴１２４ａ、渡し胴１２４ｂ〜１２４ｄ及び排紙胴１５０の各駆動を制御することにより、所定の保持領域に給紙した後、ステップ２４４に移行する。なお、本ステップ２４２では、本画像記録処理プログラムの処理の実行が開始されてから現時点までの給紙枚数をカウントするカウンタの値を１インクリメントする。
【００８０】
ステップ２４４では、現時点のカウンタの値（給紙枚数）が上記ステップ２００の処理で受信された記録指示情報に含まれる給紙指示枚数情報により示される枚数でないか否かを判定し、否定判定となった場合（「給紙枚数＝指示枚数」の場合）にはカウンタの値をリセットしてからステップ２４５に移行する一方、肯定判定となった場合にはステップ２４６に移行する。ステップ２４５では、給紙動作を停止するように制御した後、ステップ２４８に移行する。ステップ２４６では、記録媒体１１４の現時点の給紙先である保持領域を他の保持領域に切り替えるように制御した後、ステップ２４８に移行する。例えば、現時点での給紙先が保持領域Ｘであれば給紙先を保持領域Ｙとするように給紙部１０２、圧胴１２６ａ〜１２６ｄ、給紙胴１２４ａ、渡し胴１２４ｂ〜１２４ｄ及び排紙胴１５０の各作動を制御し、逆に、現時点での給紙先が保持領域Ｙであれば給紙先を保持領域Ｘとするように給紙部１０２、圧胴１２６ａ〜１２６ｄ、給紙胴１２４ａ、渡し胴１２４ｂ〜１２４ｄ及び排紙胴１５０の各作動を制御する。
【００８１】
ステップ２４８では、記録媒体１１４の被記録面が画像記録位置に到達するまで待機した後、ステップ２５０に移行し、上記ステップ２００の処理で受信した記録指示情報に含まれる画像情報により示される画像を、記録ヘッド１４０の作動を制御することにより、画像記録位置に到達した記録媒体１１４の被記録面に記録した後、ステップ２５１に移行する。ステップ２５１では、現時点のカウンタの値（給紙枚数）が上記ステップ２００の処理で受信された記録指示情報に含まれる給紙指示枚数情報により示される枚数でないか否かを判定し、否定判定となった場合（「給紙枚数＝指示枚数」の場合）には、カウンタの値をリセットしてからステップ２４２に戻る一方、肯定判定となった場合には本画像記録処理プログラムを終了する。
【００８２】
このようにシステム制御部１８２のＣＰＵによって画像記録処理プログラムが実行されることにより、非バリアブル印刷の場合（ステップ２４２〜２５１の処理が実行された場合）、給紙指示枚数情報により示される枚数分の画像記録が終了するまで、一例として図９に示すように保持領域Ｘ，Ｙに絶え間なく記録媒体１１４が供給されることになるので、圧胴１２６ｃの外周面の温度は限界温度には達しない。限界温度に達しない理由としては、圧胴１２６ｃに対してヒータ１４３の熱が直接付与されるわけではなく、圧胴１２６ｃに対して記録媒体１１４を通してヒータ１４３の熱が付与されるからという理由、及び記録媒体１１４が圧胴１２６ｃの熱を吸収して後段に搬送されるからという理由が考えられる。
【００８３】
これに対し、バリアブル印刷の場合（ステップ２２３の処理が実行された場合）、給紙指示枚数情報により示される枚数分の画像記録が終了するまで、一例として図１０に示すように所定の保持領域（図１０に示す例では保持領域Ｘ）にのみ記録媒体１１４が供給されることなる。すなわち、毎回、他の保持領域を飛ばして所定の保持領域に記録媒体１１４が供給される、ということである。この場合、一例として図１０に示すように圧胴１２６ｃの外周面の温度が限界温度を超えてしまう。限界温度を超えてしまう理由としては、他の保持領域（図１０に示す例では保持領域Ｙ）に記録媒体１１４が供給されないため、他の保持領域がヒータ１４３の下方を通過するたびに、他の保持領域に対してヒータ１４３の熱が直接付与されるからという理由が考えられる。
【００８４】
そこで、本実施の形態に係る画像記録装置１００では、ステップ２０６〜２１９の処理が実行されることにより、給紙指示枚数情報により示される枚数分の画像記録が終了するまで、設定枚数情報により示される枚数分の給紙が行われた場合に給紙先の保持領域を変更することとした。画像記録装置１００は、例えば、図１１に示すように、当初保持領域Ｙを給紙先とし、保持領域Ｙに対して設定枚数情報により示される枚数分の給紙が行われた場合、給紙先を保持領域Ｘに切り替え、ここで保持領域Ｘに対して設定枚数情報により示される枚数分の給紙が行われた場合、給紙先を保持領域Ｙに戻すように制御している。このように給紙枚数を条件にして一方の保持領域に給紙先が偏らないようにすることで圧胴１２６ｃの外周面の温度は限界温度を超えない。
【００８５】
また、本実施の形態に係る画像記録装置１００では、ステップ２２４〜２４１の処理が実行されることにより、給紙指示枚数情報により示される枚数分の画像記録が終了するまで、測定温度情報により示される温度が予め定められた温度以上の場合に給紙先の保持領域を変更することとした。画像記録装置１００は、例えば、図１２に示すように、当初保持領域Ｙを給紙先とし、保持領域Ｙに対して給紙が行われて圧胴１２６ｃの外周面の温度が予め定められた温度（図１２に示す例では「切替温度」）に達した場合に供給先を保持領域Ｘに変更するように制御している。このように測定された温度を条件にして一方の保持領域に給紙先が偏らないようにすることで圧胴１２６ｃの外周面の温度は限界温度を超えない。
【００８６】
また、本実施の形態では、記録媒体１１４単位で先後で異なる画像を記録対象画像として記録媒体１１４に記録するバリアブル印刷を例示したが、バリアブル印刷で印刷対象とされる複数の記録対象画像の各々（先後で相違する複数の記録対象画像の各々）としては、例えば複数の記録対象画像に対して共通の画像と複数の記録対象画像の各々にとって固有の画像とを組み合わせた画像が挙げられる他、複数の記録対象画像に対して共通に使い回される画像を含まない画像（例えば先後で全く異なる画像）が挙げられる。
【００８７】
図１３は、本実施の形態に係る画像記録装置１００の変形例を示す画像記録装置１００Ａの構成の一例を示す構成図である。図１３に示す画像記録装置１００Ａは、図１に示す画像記録装置１００に比べ、圧胴１２６ｃに代えて圧胴１２６ｃ’を適用して点が異なっている。すなわち、圧胴１２６ｃ’は、外周面を３等分した各領域に対して１つずつ保持領域を有しており、各保持領域に対してグリッパ１２５が設けられている。各保持領域の周方向の長さは渡し胴１２４ｃの外周長と相違しない長さとされている。このように、保持領域の個数は設計仕様等に応じて変更しても良い。
【００８８】
また、本実施の形態では、説明の便宜上、画像記録処理プログラムに係る処理を記録部１０８における画像記録処理に適用した場合を例示したが、これに限らず、浸透抑制処理部１０４や処理液付与部１０６を処理対象にして行われる処理についても記録部１０８と変わりなく適用される処理であること言うまでもない。すなわち、画像記録処理プログラムに係る処理を浸透抑制処理部１０４に対して適用する場合は、インクの吐出に係る処理を、浸透抑制剤の吐出に係る処理に置き換えれば良く、画像記録処理プログラムに係る処理を処理液付与部１０６に対して適用する場合は、インクの吐出に係る処理を、処理液の吐出に係る処理に置き換えれば良い。なお、浸透抑制処理部１０４及び処理液付与部１０６は画像記録を行うにあたって必ずしも必要な箇所ではないが、より高画質なものが要求される場合は浸透抑制処理部１０４及び処理液付与部１０６があった方が良いことは言うまでもない。
【００８９】
また、本実施の形態では、圧胴による搬送形態を例に挙げて説明したが、圧胴以外の搬送手段であっても良い。圧胴以外には例えば循環式の搬送ベルトによる搬送が挙げられる。この場合、搬送ベルトのおもて面（外周面）にグリッパを設けることによって記録媒体１１４を保持すれば良い。
【００９０】
また、本実施の形態では、システム制御部１８２によって画像記録処理プログラムの各ステップを実現するソフトウェア的な形態を例示したが、これに限らず、各種回路（一例として、ＡＳＩＣ（Application Specific Integrated Circuit））を接続して構成されるハードウェア的な形態や、ソフトウェア的な形態とハードウェア的な形態とを組み合わせた形態が挙げられる。
【００９１】
また、本実施の形態では、画像記録処理プログラムがプログラム格納部１８２Ａに予め記憶されている場合の形態例を挙げて説明したが、本発明はこれに限定されるものではなく、これらのプログラムをＣＤ−ＲＯＭやＤＶＤ−ＲＯＭ、ＵＳＢメモリなどのコンピュータによって読み取られる記録媒体に格納した状態で提供する形態を適用しても良いし、有線又は無線による通信手段を介して配信する形態を適用しても良い。
【符号の説明】
【００９２】
１００，１００Ａ  画像記録装置
１０２  給紙部
１２６ｃ  圧胴
１４０  記録ヘッド
１４３  ヒータ
１４５  温度センサ
１８２  システム制御部
【図１】
2013154621.tif 000003
【図２】
2013154621.tif 000004
【図３】
2013154621.tif 000005
【図４】
2013154621.tif 000006
【図５】
2013154621.tif 000007
【図６】
2013154621.tif 000008
【図７】
2013154621.tif 000009
【図８】
2013154621.tif 000010
【図９】
2013154621.tif 000011
【図１０】
2013154621.tif 000012
【図１１】
2013154621.tif 000013
【図１２】
2013154621.tif 000014
【図１３】
2013154621.tif 000015